(57)【要約】  本発明は、可動保護スリーブを具備した筆記用具に関するものである。筆記用具は、長手方向軸線（Ａ）に沿って延在するバレル（１）と；バレルの前端に取り付けられた筆記先端（７）と；筆記先端を被覆する保護位置と筆記先端を露出させる退避位置との間にわたって移動可能とされた保護スリーブ（２）と；を具備している。保護スリーブは、バレル上のガイド部材（１０）に対して係合する螺旋カム（２０）と、バレル上の保持部材（１１）に対して係合する戻り止め部材（２１）と、を有し、この係合により、保護スリーブがバレルから逸脱することが防止される。筆記用具は、さらに、保持部材と戻り止め部材とのうちの一方に対して係合するロック部材（２２；１２）を具備し、この係合により、保護スリーブの保護位置における回転をロックし得るものとされている。
2015514025.tif 000002
【特許請求の範囲】
【請求項１】
筆記用具であって、
長手方向軸線（Ａ）に沿って延在するバレル（１）と；
このバレルの前端のところに取り付けられた筆記先端（７）と；
この筆記先端（７）のための保護スリーブ（２）であるとともに、前記バレル（１）上において前記バレル（１）と同軸的に取り付けられ、前記筆記先端を被覆する保護位置と、前記筆記先端を露出させて筆記を可能とする退避位置と、の間にわたって、前記バレルに対して移動可能とされ、内壁（２Ｉ）を備え、この内壁が、前記バレル上に形成されたガイド部材（１０）に対して係合し得るよう構成された螺旋カム（２０）を有し、この係合により、前記保護スリーブが、回転移動と並進移動との組合せによって移動可能とされ、さらに、前記内壁上に、前記バレル上に形成された保持部材（１１）に対して係合し得るよう構成された戻り止め部材（２１）を有し、この係合により、前記保護スリーブが前記バレルから逸脱することが防止されるようになっている、保護スリーブ（２）と；
を具備し、
さらに、前記保持部材（１１）と前記戻り止め部材（２１）とのうちの一方に対して係合し得るよう構成されたロック部材（２２；１２）を具備し、この係合により、前記保護スリーブの前記保護位置における回転をロックし得るものとされていることを特徴とする筆記用具。
【請求項２】
請求項１記載の筆記用具において、
前記ロック部材（２２）が、前記保護スリーブの前記内壁（２Ｉ）上に形成されていて、前記保持部材（１１）に対して係合し得るものとされていることを特徴とする筆記用具。
【請求項３】
請求項１または２記載の筆記用具において、
前記ロック部材（１２）が、前記バレル（１）上に形成されていて、前記戻り止め部材（２１）に対して係合し得るものとされていることを特徴とする筆記用具。
【請求項４】
請求項１〜３のいずれか１項に記載の筆記用具において、
前記戻り止め部材（２１）が、前記保護スリーブ（２）の周縁方向に延在するとともに、戻り止め歯（２１）を形成し、
この戻り止め歯（２１）が、頂点（２１Ｃ）と、この頂点（２１Ｃ）の両サイドに配置された第１面（２１Ａ）および第２面（２１Ｂ）と、を有し、
前記第１面（２１Ａ）が、前記保護スリーブ（２）の前記内壁（２Ｉ）がなす円筒表面に対して局所的に実質的に垂直に延在するとともに、前記保護位置において前記保持部材（１１）に対して係合する戻り止め歯係止部を形成することを特徴とする筆記用具。
【請求項５】
請求項４記載の筆記用具において、
前記保持部材（１１）が、前記バレル（１）の周縁方向に延在するとともに、保持歯を形成し、
この保持歯が、頂点（１１Ｃ）と、この頂点（１１Ｃ）の両サイドに配置された第１面（１１Ａ）および第２面（１１Ｂ）と、を有し、
前記第１面（１１Ａ）が、前記バレル（１）がなす円筒形状外表面に対して局所的に実質的に垂直に延在するとともに、前記保護位置において前記戻り止め歯係止部（２１Ａ）に対して係合する当接部を形成することを特徴とする筆記用具。
【請求項６】
請求項１〜５のいずれか１項に記載の筆記用具において、
前記バレルの前記ガイド部材（１０）が、螺旋リブによって形成され、
この螺旋リブが、前記バレルの前記長手方向軸線（Ａ）に対して、１７０°未満という角度（α）にわたって周縁方向に延在し、
前記保護スリーブの前記螺旋カム（２０）が、前記螺旋リブ（１０）に対して係合し得るよう構成された螺旋グルーブ（２０Ａ）を有していることを特徴とする筆記用具。
【請求項７】
請求項６記載の筆記用具において、
前記角度（α）が、６０°〜１２０°とされ、
前記螺旋リブが、前記バレルの前記長手方向軸線（Ａ）に対して、２０°〜５０°というピッチ角度（β）を形成していることを特徴とする筆記用具。
【請求項８】
請求項１〜７のいずれか１項に記載の筆記用具において、
前記保持部材（１１）が、前記バレルの前記長手方向軸線（Ａ）に対して、前記ガイド部材（１０）の平均的角度位置とは反対側の角度位置のところに配置され、
前記保持部材（１１）が、前記ガイド部材と比較して前記バレルの後方側に向けてオフセットされた軸線方向位置のところに配置されていることを特徴とする筆記用具。
【請求項９】
請求項１〜８のいずれか１項に記載の筆記用具において、
前記保護スリーブの前記内壁（２Ｉ）が、第１壁部（８）を備え、
この第１壁部（８）には、前記螺旋カム（２０）の少なくとも一部（２０Ａ）が形成され、
前記第１壁部（８）が、第１直径（Ｄ１）を有し、
前記保護スリーブの前記内壁（２Ｉ）が、さらに、第２壁部（９）を備え、
この第２壁部（９）が、前記第１直径（Ｄ１）よりも大きな第２直径（Ｄ２）を有していることを特徴とする筆記用具。
【請求項１０】
請求項９記載の筆記用具において、
前記ロック部材（２２）が、前記戻り止め部材（２１）の近傍において、前記第２壁部（９）上に形成されていることを特徴とする筆記用具。
【請求項１１】
請求項９または１０記載の筆記用具において、
前記ガイド部材（１０）および前記保持部材（１１）が、前記バレルの前方部分（１Ａ）上に形成され、
この前方部分（１Ａ）が、前記第１直径（Ｄ１）と同じ外径（Ｄ１Ａ）を有した円筒形状チューブを形成していることを特徴とする筆記用具。
【請求項１２】
キットであって、
バレル（１）と；
筆記用具の組立に際してはこのバレル上に取り付けられることとなる保護スリーブ（２）と；
前記筆記用具が、前記バレルの前端のところに設けられた筆記先端（７）を備え、
前記保護スリーブ（２）が、前記筆記先端（７）を保護し得るよう構成され、
前記保護スリーブ（２）が、前記バレル（１）上において前記バレル（１）と同軸的に取り付けられ、
前記保護スリーブ（２）が、前記筆記先端を被覆する保護位置と、前記筆記先端を露出させて筆記を可能とする退避位置と、の間にわたって、前記バレルに対して移動可能とされ、
前記保護スリーブ（２）が、内壁（２Ｉ）を備え、
この内壁が、前記バレル上に形成されたガイド部材（１０）に対して係合し得るよう構成された螺旋カム（２０）を有し、この係合により、取り付けられた前記保護スリーブが、回転移動と並進移動との組合せによって移動可能とされ、
前記保護スリーブ（２）が、さらに、前記内壁上に、前記バレル上に形成された保持部材（１１）に対して係合し得るよう構成された戻り止め部材（２１）を有し、この係合により、前記保護スリーブが前記バレルから逸脱することが防止され、
前記筆記用具が、さらに、前記保持部材（１１）と前記戻り止め部材（２１）とのうちの一方に対して係合し得るよう構成されたロック部材（２２；１２）を具備し、この係合により、前記保護スリーブの前記保護位置における回転をロックし得るものとされ、
前記保護スリーブの前記内壁（２Ｉ）が、第１壁部（８）を備え、
この第１壁部（８）には、前記螺旋カム（２０）の少なくとも一部（２０Ａ）が形成され、
前記第１壁部（８）が、第１直径（Ｄ１）を有し、
前記保護スリーブの前記内壁（２Ｉ）が、さらに、第２壁部（９）を備え、
この第２壁部（９）が、前記第１直径（Ｄ１）よりも大きな第２直径（Ｄ２）を有し、
前記バレルの前記ガイド部材（１０）が、前記保護スリーブが前記バレル上に係合していて前記バレル上の所定位置へのスナップ係合の待ち受け状態とされた取付位置においては、前記第２壁部（９）に対向して配置されていることを特徴とするキット。
【請求項１３】
請求項１２記載のキットにおいて、
前記バレルの前記ガイド部材（１０）が、螺旋リブによって形成され、
前記保護スリーブの前記螺旋カム（２０）が、前記螺旋リブに対して係合するための螺旋グルーブを有し、
前記第１壁部（８）および前記第２壁部（９）が、互いに連接されており、これにより、少なくとも１つの肩部領域（２０Ｂ）を形成し、
この肩部領域（２０Ｂ）が、前記螺旋カムのうちの、前記螺旋リブが当接することとなる傾斜部を構成し、これにより、前記螺旋リブの前端（１０Ｆ）が、前記保護スリーブの前記取付位置においては、前記螺旋グルーブの入口（２０ＡＢ）に対して対向していることを特徴とするキット。
【請求項１４】
請求項１２または１３記載のキットにおいて、
前記保護スリーブの前記螺旋カム（２０）が、前記バレルの前記ガイド部材（１０）に対して係合し得るよう構成され、この係合により、前記保護スリーブの前記取付位置と前記保護位置との間にわたっての、前記バレルに対しての前記保護スリーブの螺旋移動が得られるようになっていることを特徴とするキット。
【請求項１５】
請求項１２〜１４のいずれか１項に記載のキットにおいて、
前記バレルの前記保持部材（１１）および前記保護スリーブの前記戻り止め部材（２１）が、互いに対して圧力を印加し得るよう構成され、これにより、前記保護スリーブの前記取付位置と前記保護位置との間においては、前記バレルと前記保護スリーブとのうちの少なくとも一方を径方向に変形させ得るものとされ、これにより、バレル上へと保護スリーブをスナップ係合させ得るものとされていることを特徴とするキット。
【発明の詳細な説明】
【技術分野】
【０００１】
本発明は、筆記用具に関するものであって、本発明による筆記用具は、長手方向軸線に沿って延在するバレルと；このバレルの前端のところに取り付けられた筆記先端と；この筆記先端のための保護スリーブであるとともに、バレル上においてバレルと同軸的に取り付けられ、筆記先端を被覆する保護位置と、筆記先端を露出させて筆記を可能とする退避位置と、の間にわたって、バレルに対して移動可能とされ、内壁を備え、この内壁が、バレル上に形成されたガイド部材に対して係合し得るよう構成された螺旋カムを有し、この係合により、保護スリーブが、回転移動と並進移動との組合せによって移動可能とされ、さらに、内壁上に、バレル上に形成された保持部材に対して係合し得るよう構成された戻り止め部材を有し、この係合により、保護スリーブがバレルから逸脱することが防止されるようになっている、保護スリーブと；を具備している。
【背景技術】
【０００２】
そのような筆記用具は、特許文献１により公知である。バレルは、ネジ山によって形成されたガイド部材を有している。スリーブの内壁上には、螺旋グルーブによって、ガイド螺旋カムが形成されている。ガイド部材とガイド螺旋カムとは、互いに係合するものとされている。バレルの保持部材は、円錐台形状をなす環状カラーによって形成されている。スリーブの戻り止め部材が、スリーブの内壁の後端のところにおいて内向きに突出する環状フランジによって形成されている。環状カラーは、環状フランジの内径と比較して、わずかに大きな外径を有している。スリーブは、弾性的なものとされており、これにより、環状フランジの内径を増大させることができて、バレル上にスリーブを押圧した時には、環状カラーを、環状フランジを通して挿し通すことができる。先端保護位置においては、スリーブの螺旋グルーブが、バレルのネジ山から係合解除されており、これにより、スリーブの内側肩部が、ネジ山に対して当接していて、押圧されたときに、スリーブが外れないようになっている。その場合、スリーブは、並進移動を引き起こすことなく、自由に回転することができる。しかしながら、ネジ山が再度螺旋グルーブに対して係合して、スリーブをバレル上にネジ止めし得る状況が、必然的に提供される。
【０００３】
この公知の筆記用具は、バレル上におけるスリーブの移動に関して、ネジ山を螺旋グルーブ内に係合させるという従来的な手法のために、信頼性高いガイド機能をもたらすという利点を有している。これらの部材が、変形しないように剛直なものとして形成されている場合には、ネジ山がグルーブから外れてしまうというリスクは、実質的にない。それは、特に、退避位置において、言い換えれば先端の露出位置において、ユーザーが、スリーブに対して、ねじ止め力を印加し続けた場合である。これに対し、可動保護スリーブを有した他の公知の筆記用具は、径方向にフレキシブルな部材から構成された少なくとも１つのガイド部材を使用している。ガイド部材は、両端が閉塞された螺旋スロット内に係合する。この場合には、フレキシブルさのために、スリーブに対して過度の力が印加された時には、ガイド部材がスロットから外れてしまい、保護スリーブがバレルから外れてしまうというリスクが存在する。特許文献１の筆記用具の他の利点は、スロットの壁に貫通スロットを設ける必要がないことである。これは、例えば、スリーブの外表面上に、グリップを射出成型によって形成する場合に、有利なものとすることができる。
【先行技術文献】
【特許文献】
【０００４】
【特許文献１】米国特許第２，９４１，５１１号明細書
【発明の概要】
【発明が解決しようとする課題】
【０００５】
しかしながら、特許文献１の筆記用具は、様々な欠点を有している。とりわけ、先端保護位置において、スリーブを固定的にロックできない点である。それは、スリーブが自由に回転可能であるからである。そのため、ネジ山が螺旋グルーブに対して偶発的に係合してしまい、スリーブがバレル上にねじ止めされてしまうことが起こり得る。この現象は、筆記用具がポケット内に収容されていて、ランダムな力を受ける場合に、起こり得る。スリーブの偶発的な退避は、先端を露出させてしまうことのために、衣服の汚れを引き起こす。さらに、先端保護位置においてスリーブの回転がロックされていないことのために、ユーザーは、構成の頑丈さを感じることがない。加えて、保護位置からスリーブを意図的にねじ止めするためには、時間を要する。それは、ユーザーが、まず最初に、ネジ山がグルーブに対して係合した位置にまで、スリーブをゆっくりと回転させる必要があるからである。
【課題を解決するための手段】
【０００６】
本発明の目的は、特に、先端保護位置においては保護スリーブを堅固にかつ信頼性高くロックするとともに、螺旋カムからのガイド部材の係合解除というリスクをもたらすことなくバレル上における保護スリーブの移動を案内し、保護スリーブの壁に貫通スリットを設けないことによって、上記の欠点を解決することである。
【０００７】
この目的のために、本発明は、上述したような筆記用具に関するものであって、筆記用具が、さらに、保持部材と戻り止め部材とのうちの一方に対して係合し得るよう構成されたロック部材を具備し、この係合により、保護スリーブの保護位置における回転をロックし得るものとされている。
【０００８】
このような構成によれば、保護位置がロックされ、これにより、保護スリーブが、バレルに対しての並進移動と回転移動との双方に関して不動化される。これにより、保護位置が偶発的に解除されるというリスクがない。さらに、ロック部材が、保持部材と戻り止め部材とのうちの一方に対して係合していることにより、取付時には、バレル上に保護スリーブがスナップ係合される。このことは、保持部材または戻り止め部材が、保護スリーブのスナップ係合機能と、保護位置における保護スリーブのロック機能と、の双方を提供することを意味する。よって、ロック部材との係合のために、保持部材および戻り止め部材の他には、特別の部材を設ける必要がない。このことは、保護スリーブまたはバレルのモールド成型を単純化する。
【０００９】
本発明による筆記用具の好ましい実施形態においては、以下の様々な構成のうちの１つまたは複数のものが、好ましくは組み合わせて、使用される。
【００１０】
保護スリーブの内壁上に形成され、好ましくは戻り止め部材の近傍に形成され、保持部材に対して係合し得るものとされた、ロック部材。
【００１１】
バレル上に形成され、好ましくは戻り止め部材の近傍に形成され、戻り止め部材に対して係合し得るものとされた、ロック部材；
保護スリーブの周縁方向に延在するとともに、戻り止め歯を形成する戻り止め部材であって、この戻り止め歯が、頂点と、この頂点の両サイドに配置された第１面および第２面と、を有し、第１面が、保護スリーブの内壁がなす円筒表面に対して局所的に実質的に垂直に延在するとともに、保護位置において保持部材に対して係合する戻り止め歯係止部を形成する、戻り止め部材、これにより、バレル上における保護スリーブのスナップ係合を容易なものとして、径方向における保護スリーブの弾性変形を可能とし、この弾性変形は、一次的には戻り止め歯のところに局在しており、加えて、組立の容易さを損なうことなく、不可逆的なラッチを可能とし、この点は、特許文献１による公知デバイスとは異なる点であり、そのような公知デバイスにおいては、保護スリーブは、バレル上へのスナップ係合のためには、周縁全体にわたっての径方向の変形を引き起こさなければならないものとされている；
バレルの周縁方向に延在するとともに、保持歯を形成する、保持部材であって、この保持歯が、頂点と、この頂点の両サイドに配置された第１面および第２面と、を有し、第１面が、バレルがなす円筒形状外表面に対して局所的に実質的に垂直に延在するとともに、保護位置において戻り止め歯係止部に対して係合する当接部を形成する、保持部材であり、これにより、スナップ係合が、より確実に不可逆的なものとされている；
螺旋リブによって形成されたバレルのガイド部材であって、この螺旋リブが、バレルの長手方向軸線に対して、１７０°未満という角度にわたって周縁方向に延在し、保護スリーブの螺旋カムが、螺旋リブに対して係合し得るよう構成された螺旋グルーブを有している、ガイド部材であり、これにより、バレルと一体的なガイド部材のモールド成型が容易なものとされている；
螺旋リブが周縁方向において延在している角度が、６０°〜１２０°とされ、螺旋リブが、バレルの長手方向軸線に対して、２０°〜５０°というピッチ角度を形成しており、これにより、保護スリーブを保護位置から退避位置へと移行させるに際して、２分の１回転未満という保護スリーブの回転が可能とされ、好ましくは、４分の１回転で十分なものとされ、これにより、ユーザーの操作が容易なものとされる；
保持部材が、バレルの長手方向軸線に対して、ガイド部材の平均的角度位置とは反対側の角度位置のところに配置され、保持部材が、ガイド部材と比較してバレルの後方側に向けてオフセットされた軸線方向位置のところに配置され；
保護スリーブの内壁が、第１壁部を備え、この第１壁部には、螺旋カムの少なくとも一部が形成され、第１壁部が、第１直径を有し、保護スリーブの内壁が、さらに、第２壁部を備え、この第２壁部が、第１直径よりも大きな第２直径を有し、このことは、ガイド部材の高さを十分なものとして、ガイドの強度を増強するに際して有利であり、また、保護スリーブを比較的小さな直径のものとしつつ、壁を厚いものとすることができ、これにより、保護スリーブの全体的強度を確保することができる；
ロック部材が、戻り止め部材の近傍において、第２壁部上に形成され、これにより、戻り止め部材およびロック部材のところにおける保護スリーブの局所的径方向変形を容易なものとすることができ、保持部材との係合を容易なものとすることができる；
ガイド部材および保持部材が、バレルの前方部分上に形成され、この前方部分が、第１直径と同じ外径を有した円筒形状チューブを形成し、ガイド部材が、第２直径の実質的に半分に等しい外径を有し、このことは、バレルに対しての保護スリーブの適正な軸線方向位置合わせを確実なものとすることができて、有利であり；
第２ロック部材が、第２壁部上に配置された第２突起によって形成されているとともに、保護スリーブを保護位置においてロックし得るよう構成され、これにより、ユーザーの筆記時に保護スリーブが退避位置から逸脱することを防止することができ；
第１突起および第２突起の各々が、軸線方向において上部が切り取られた円筒形状を有し、軸線方向が、保護スリーブの長手方向軸線と平行なものとされ、これにより、製造時に、モールドからの保護スリーブの取り外しが容易なものとされている。
【００１２】
本発明の他の特徴点や利点は、添付図面を参照しつつ、本発明を何ら制限することがないいくつかの例示としての実施形態に関する以下の説明を読むことにより、明瞭となるであろう。
【図面の簡単な説明】
【００１３】
【図１】本発明による筆記用具を概略的に示す側面図であり、スリーブは、筆記用具の先端を保護するための保護位置とされている。
【図２】図１の筆記用具を概略的に示す側面図であり、スリーブは、筆記を可能とする退避位置とされている。
【図３】図１の筆記用具の第１実施形態において、バレルの前方部分を概略的に示す側面図である。
【図４】図３のバレルの前方部分を概略的に示す斜視図である。
【図５】図３のバレルの前方部分を概略的に示す他の側面図である。
【図６】図３のバレルの前方部分を、筆記用具の軸線に沿って概略的に示す正面図である。
【図７】図１の筆記用具の第１実施形態における保護スリーブを概略的に示す斜視図である。
【図８】図７の保護スリーブを概略的に示す他の斜視図である。
【図９】図７の保護スリーブを、破断して概略的に示す斜視図である。
【図１０】図７の保護スリーブを、破断して概略的に示す他の斜視図である。
【図１１】図１の筆記用具の第１実施形態を概略的に示す部分的な斜視図であり、スリーブは、保護位置とされている。
【図１２】図１の筆記用具の第１実施形態を概略的に示す他の部分的な斜視図であり、スリーブは、保護位置とされている。
【図１３】図１の筆記用具の第１実施形態を、破断して概略的に示す部分的な斜視図であり、スリーブは、保護位置とされている。
【図１４】図１の筆記用具の第１実施形態を、破断して概略的に示す部分的な斜視図であり、スリーブは、退避位置とされている。
【図１５】筆記用具の第１実施形態を概略的に示す長手方向断面図であり、スリーブは、図２に示す退避位置とされている。
【図１６】図１の筆記用具の第２実施形態における保護スリーブを、破断して概略的に示す斜視図である。
【図１７】筆記用具の第２実施形態におけるバレルの前方部分を概略的に示す斜視図である。
【図１８】図１７のバレルの前方部分を、筆記用具の軸線に沿って概略的に示す正面図である。
【図１９】筆記用具の第２実施形態を、破断して概略的に示す部分的な斜視図であり、スリーブは、保護位置とされている。
【発明を実施するための形態】
【００１４】
図１および図２に示す筆記用具は、長手方向軸線Ａに沿って延在するバレル１を備えている。バレル１は、全体的に円筒形チューブを形成する前方部分１Ａと、この前方部分１Ａよりも大きな外径を有した円筒形主要チューブ部分（あるいは、主部）１Ｂと、を有している。前方部分１Ａと円筒形主要チューブ部分１Ｂとが連接される部分には、環状肩部１Ｅが形成されている。図７〜図１０に詳細に図示されているような保護スリーブ２が、バレル１の前方部分１Ａ上においてバレル１に対して同軸的に螺旋移動可能であるようにして、取り付けられる。保護スリーブ２は、筆記先端７を保護し得るよう保護スリーブ２が筆記先端を被覆する保護位置（図１）と、筆記を可能とし得るよう保護スリーブ２が筆記先端７を露出させた退避位置（図２）と、の間にわたって、移動可能とされている。
【００１５】
退避位置においては、保護スリーブ２は、バレルの環状肩部１Ｅに対して当接する。有利には、保護スリーブ２は、フラットな表面を形成する後端エッジ２Ｅを有している。この後端エッジ２Ｅが、同じくフラットな表面を形成する環状肩部１Ｅに対して全体的に当接する。加えて、保護スリーブ２は、バレルの主部１Ｂの外径と同じ外径を有している。よって、保護スリーブの退避位置においては、保護スリーブとバレルとは、保護スリーブとバレルとが当接するところにギャップを形成しないようにして、連続した表面を形成する。この点は、審美的に有利であって、ユーザーは、筆記時に筆記用具を快適に保持することができる。
【００１６】
本発明の筆記用具の一実施形態においては、図示されていないけれども、保護スリーブ２の外表面上に、グリップ部材をオーバーモールドすることができる。このグリップ部材は、また、保護スリーブ２の後端エッジ２Ｅのフラット表面をも被覆することができる。これにより、グリップ部材は、保護スリーブ２の退避位置においては、バレルの環状肩部１Ｅに対して当接することとなる。
【００１７】
図３〜図６に示すように、図１に示すような筆記用具の第１実施形態においては、バレル１の前方部分１Ａは、バレルの主部１Ｂの外径よりも小さな外径を有した外径Ｄ１Ａ（図５）を有している。さらに、バレル１の前方部分１Ａは、この前方部分１Ａの外表面上に、ガイド部材１０と、保持部材１１と、を有している。ガイド部材１０は、螺旋リブによって形成されており、この螺旋リブは、この螺旋リブの前端１０Ｆと後端１０Ｒとの間において、例えば約９０°といったような角度αにわたって、バレルの長手方向軸線Ａまわりにおいて周縁まわりに延在している。
【００１８】
有利には、角度αは、１７０°よりも小さなものとされる。このことは、２つのモールド半体を有してなるモールドを使用してのバレル１の外表面の成型を容易なものとする。その場合、螺旋リブ１０は、１つのモールド半体によって形成される。より好ましくは、角度αは、６０°〜１２０°とされる。螺旋リブ１０は、バレルの長手方向軸線Ａに対して、２０°〜５０°といったようなピッチ角度β（図３）を形成する。これにより、保護スリーブ２の回転により、例えば９０°といったような回転により、保護位置と退避位置との間にわたっての移行経路全体に沿って、保護スリーブを移動させることができる。この構成は、ユーザーによる操作を容易なものとする。なぜなら、一方の位置から他方の位置への保護スリーブの移行が、１つの迅速な移動によって得られるからである。
【００１９】
保持部材１１は、バレル１の周縁まわりに延在しており、保持歯１１Ｃを形成している。保持歯１１Ｃは、頂点１１Ｃと、この頂点１１Ｃの両サイドに位置した第１面１１Ａおよび第２面１１Ｂと、を有している（図６）。第１面１１Ａは、保持歯のうちの急傾斜面を形成するものであり、好ましくは、バレルの前方部分１Ａの外周円筒表面に対して実質的に垂直であるようにして局所的に延在している。「外周円筒表面に対して実質的に垂直であるようにして局所的に延在する」という表現は、対象をなす局所領域において、外周円筒表面に対して接線方向をなす平面に対して垂直な方向に延在することを意味するものとして、理解されたい。
【００２０】
例えば、第１面１１Ａは、好ましい実施形態においては、外周円筒表面に対して径方向の平面内に延在する。その径方向平面は、バレルの長手方向軸線Ａを包含するものである。しかしながら、第１面１１Ａの延在平面は、必ずしも径方向に限定されるものではなく、（図示していない）一実施形態においては、延在平面は、バレルの外周円筒表面に対して局所的に垂直なものとされつつも、バレルの長手方向軸線Ａに対してある種の傾斜を有することができる。
【００２１】
有利には、保持歯１１は、図６に示すように、長手方向軸線Ａに関して螺旋リブ１０の角度的中央位置とは実質的に反対側の角度位置のところに、配置される。また、保持歯１１の軸線方向位置は、図５に示すように、螺旋リブ１０の位置と比較して、バレルの後方側へとオフセットされている。この軸線方向オフセットは、距離ｌ１ によって図示されている。
【００２２】
加えて、保持歯１１は、バレルの環状肩部１Ｅから距離ｌ２ のところに配置されている。この距離ｌ２ は、好ましくは、保護位置と退避位置との間にわたっての保護スリーブ２の移動距離に等しいものとされる。螺旋リブ１０は、外径Ｒ１０を有している。有利には、保持歯１１は、螺旋リブ１０と同じ高さを有している。このことは、保持歯１１の頂点が、半径Ｒ１０の円上に位置していることを、意味する。
【００２３】
図７〜図９に示すように、図１に示す筆記用具の第１実施形態においては、保護スリーブ２は、螺旋カム２０を有した内壁２Ｉを備えている。螺旋カム２０は、特に、保護スリーブの内壁２Ｉの第１壁部８に形成された螺旋グルーブ２０Ａを有している（図９，図１０）。バレルの螺旋リブ１０は、螺旋グルーブ２０Ａに対して係合し得るよう構成されている。これにより、保護スリーブの移行は、保護スリーブの回転に関連する。
【００２４】
保護スリーブ２は、さらに、内壁２Ｉ上に、戻り止め部材２１を有している。この戻り止め部材２１は、バレルの保持部材１１上を通過することができ、これにより、組立時には、保護スリーブをバレル上にスナップ係合させることができ、これにより、バレルからの保護スリーブの逸脱を防止することができる。一方の部材上にわたっての他方の部材の通過は、保護スリーブが、径方向においてある種の弾性変形性を有していることのために、可能とされている。保護スリーブのために使用されたプラスチック材料の材質や、保護スリーブの壁の構造や、保護スリーブの壁の厚さが、所望のスナップ係合のための保護スリーブの弾性変形性を得るに際してのパラメータである。
【００２５】
有利には、戻り止め部材２１は、保護スリーブ２の周縁まわりに延在しており、戻り止め歯を形成する。この構成においては、戻り止め歯２１が組立時にバレルの保持歯１１上を通過した際には、径方向における保護スリーブの弾性変形は、主に、戻り止め歯のところに位置する。このことは、バレル上における保護スリーブのスナップ係合による組立を容易なものとする。より好ましくは、戻り止め歯２１は、頂点２１Ｃと、この頂点２１Ｃの両サイドに位置する第１面２１Ａおよび第２面２１Ｂと、を有している。第１面２１Ａは、戻り止め歯のうちの急傾斜面を形成している。第１面２１Ａは、好ましくは、保護スリーブの内壁２Ｉがなす円筒表面に対して局所的に実質的に垂直に延在している。
【００２６】
第１面２１Ａは、戻り止め歯２１における係止部を形成する。第１面２１Ａは、保護スリーブの保護位置においては、保持部材１１の第１面１１Ａによって形成された当接部に対して係合する。例えば、この実施形態においては、第１面２１Ａは、内壁２Ｉがなす円筒表面に関する径方向平面内に延在する。このことは、その径方向平面が、保護スリーブの長手方向軸線を包含することを、意味する。しかしながら、第１面２１Ａの延在平面は、必ずしも径方向に限定されるものではない。（図示していない）一実施形態においては、延在平面は、長手方向軸線に対してある種の傾斜を有することができる。
【００２７】
保持歯１１の第２面１１Ｂおよび戻り止め歯の第２面２１Ｂは、急傾斜面を形成するものではない。むしろ、保持歯１１の第２面１１Ｂは、バレルの前方部分１Ａがなす円筒表面に対して局所的に４５°未満という角度で傾斜し、戻り止め歯の第２面２１Ｂは、保護スリーブの内壁がなす円筒表面に対して局所的に４５°未満という角度で傾斜する。よって、戻り止め歯２１の第２面２１Ｂは、組立時には、保持歯１１の第２面１１Ｂに対して圧力を印加することができる。これにより、戻り止め歯２１が保持歯１１を超えて通過するまで、保護スリーブおよび／またはバレルの径方向変形を引き起こすことができる。これにより、図１２および図１３を参照して後述するように、保護スリーブの保護位置において、バレル１上へと保護スリーブ２がスナップ係合される。
【００２８】
保護スリーブの内壁２Ｉの第１壁部８は、内部にグルーブ２０Ａが形成されているものであって、バレル１の前方部分１Ａの外径Ｄ１Ａとほぼ同じ第１直径Ｄ１を有している。これにより、保護スリーブ２は、バレルの前方部分１Ａ上を同軸的にスライドすることができる。製造誤差を考慮すれば、実用的には、直径Ｄ１は、外径Ｄ１Ａよりもわずかに大きなものであるように構成される。保護スリーブ２の内壁２Ｉは、第２壁部９を有している。第２壁部９は、第１直径Ｄ１よりも大きな第２直径Ｄ２を有している（図９）。この第２壁部９は、第２直径Ｄ２が螺旋リブ１０の外径Ｒ１０の２倍よりもわずかに大きなものとされていることにより、とりわけ、組立時には、保護スリーブ２内にバレルの螺旋リブ１０を配置し得るように機能する。加えて、第２壁部９の径方向厚さがより薄いことは、保護スリーブ２に、径方向の弾性変形を容易とする領域をもたらすように、機能する。
【００２９】
保護スリーブ２の第２壁部９上には、第１ロック部材２２が形成されている。第１ロック部材２２は、戻り止め部材２１の近傍に配置されている。第１ロック部材２２は、保持部材１１と係合し得るものとされ、これにより、保護スリーブを保護位置にロックすることができる。保護位置でのロックは、強力なものとすることができる。これにより、保護スリーブ２の偶発的な逸脱を防止することができる。それでもなお、保護位置でのロックは、ユーザーが保護スリーブを回転駆動することには困難性をもたらすものではなく、先端７を露出することができる。第１ロック部材２２の形状および高さが、保護位置におけるロック強度を決定することは、理解されるであろう。
【００３０】
第１ロック部材２２は、例えば、第１突起によって形成されている。第１突起は、軸線方向において上端が切り取られたような、例えば半円筒形状といったような、円筒形状とされる。第１突起の軸線方向は、保護スリーブの長手方向軸線Ａに対して平行である。第１突起が丸い形状であることは、過度の抵抗を引き起こすことなく、保護スリーブ２の回転の双方向においてバレルの保持部材１１上を第１突起が通過することができて、有利である。第１突起２２は、特に図１３に示すように、保護スリーブの保護位置において保持歯１１の第２面１１Ｂに対して当接し得るよう構成されている。よって、保護位置における保護スリーブのロックは、比較的強力なものとすることができる。このことは、保護スリーブの保護位置から保護スリーブを回転駆動するには、第１突起２２が保持部材１１上を通過し得る分だけ保護スリーブおよび／またはバレルを弾性変形させ得る程度の初期回転駆動力を印加する必要があることを、意味している。
【００３１】
有利には、第２ロック部材２３が、保護スリーブを退避位置にロックし得るよう、保護スリーブの第２壁部９上に設けられた第２突起によって形成されている。第２突起２３は、例えば、第１突起２２と同様の、上端が切り取られた円筒形状を有している。これにより、第２突起は、保持部材１１に対して、第１突起と同様に係合することができる。第１突起２２の円筒形状は、有利には、保護スリーブの長手方向軸線に対して平行な軸線を有して延在している。これらの構成は、製造時にスリーブのモールド成型を容易なものとする。２つの突起２２，２３と戻り止め歯２１とを、型出し時に保護スリーブの長手方向軸線に沿って取り外し得る単一の中央スピンドルを使用して形成し得ることは、理解されるであろう。第２突起２３は、保護スリーブの第２壁部９に対して保持部材１１が追従する螺旋経路上において、第１突起２２と比較して、保護スリーブの前方側にのみ位置している。
【００３２】
保護スリーブを退避位置にロックするための他の手法が、第２突起２３を設けることなく、可能である。例えば、第１突起２２を、保護スリーブの後端エッジ２Ｅを軸線方向にわずかに超えて延出することができ、これにより、バレルの環状肩部１Ｅのところにおいてバレル上に対応して形成された戻り止めノッチと係合し得る突起を形成することができる。
【００３３】
保護スリーブの第１壁部８および第２壁部９は、保護スリーブの長手方向軸線Ａに対して平行に延在する直線的な肩部領域２４を形成することにより、また、螺旋グルーブ２０Ａの延長線上に位置しているとともに螺旋カム２０の傾斜部を形成している螺旋肩部領域２０Ｂを形成することにより、連接されている。螺旋肩部領域２０Ｂは、保護スリーブの取付時に、螺旋肩部領域２０Ｂに対して当接する位置に螺旋リブ１０を位置させるように、構成されている（図１１）。これにより、螺旋リブ１０の前端１０Ｆは、螺旋グルーブ２０Ａに対して、入口２０ＡＢに対向することができる。直線的な肩部領域２４も、また、螺旋リブ１０の前端１０Ｆを螺旋グルーブ２０Ａの入口２０ＡＢへと案内するように機能する。
【００３４】
有利には、戻り止め歯２１の第２面２１Ｂは、その基部のところにおいて、保護スリーブの第２壁部９の端部９Ｅに対して連接される（図７）。この構成は、戻り止め歯２１のところにおける保護スリーブ２の弾性変形性を改良する。したがって、これにより、組立時にバレル上への保護スリーブのスナップ係合が容易なものとされる。
【００３５】
図１１に示すように、保護スリーブの取付時には、バレルの保持部材１１は、第２壁部９の端部９Ｅと同じ角度位置に位置し得るよう構成される。上述したように、その場合、螺旋リブ１０は、螺旋カム２０の傾斜部２０Ｂに対して当接し、螺旋グルーブ２０Ａに対しての係合の待ち受け状態となる。このように、保護スリーブ２の前方部分に対して印加された圧力により、螺旋リブ１０の前端１０Ｆが、螺旋グルーブ２０Ａの入口２０ＡＢに対して係合するようになる。これにより、初期的には、保護スリーブが、実質的な抵抗なく、バレル上に螺着される。最終的には、戻り止め部材２１が保持部材１１に対して当接するようになる。保護スリーブをバレル上にスナップ係合するためには、さらなる努力が必要とされる。あるいは、言い換えれば、戻り止め部材２１が、保持部材１１を超えて通過することができ、図１２および図１３に示すように、保護スリーブが保護位置へと移行する。
【００３６】
とりわけ図１３により、戻り止め歯２１の急傾斜面は、すなわち図８に示す第１面２１Ａは、戻り止め係止部を形成し、この戻り止め係止部が、保持歯１１の急傾斜面に対して係合し、これにより、バレル上における保護スリーブのロックが、不可逆的に行われることは、明らかである。実際、２つの歯の各々の第１面は、保護スリーブの径方向平面内に延在しており、この径方向平面は、バレルの長手方向軸線Ａを包含している。したがって、それら歯の第１面どうしのの間の相互圧力は、保護スリーブの周縁方向の応力だけしか生成することがなく、保護スリーブの径方向変形を引き起こすことがない。その結果、先端を保護するための保護位置へと保護スリーブを捩り戻す際に、ユーザーがバレルから保護スリーブを逸脱させてしまうというリスクがない。戻り止めを破壊するのに必要な捩り戻し力は、筆記用具の通常使用時には、得られることがない。
【００３７】
とりわけ図１３から明らかなように、ロック部材２２が戻り止め部材２１の近傍に配置されていることにより、保持歯１１は、保護スリーブの保護位置においては、双方の部材２１，２２に対して当接することができる。これにより、移動時の遊びが回避され、保護位置の安定化がもたらされる。さらに、図１２および図１３に示すように、保持歯１１は、保護スリーブの保護位置において保護スリーブ２のフラットな後端エッジ２Ｅに対して面一となる後方面を有している。このことは、審美的に特に有利である。
【００３８】
保護スリーブの保護位置においては、螺旋リブ１０は、螺旋グルーブ２０Ａ内に部分的に係合する。ユーザーが保護スリーブ２を回転駆動したときには、例えば、図示の実施形態においてねじ込み方向に回転駆動したときには、そしてそれが第１ロック部材２２が保持歯１１の上方を通過し得るだけの力であるならば、保護スリーブは、バレルに向けて前進し、最終的には、第２ロック部材２３が、保持歯１１の傾斜面に対して、すなわち保持歯１１の第２面に対して、当接するようになる。この場所で、ユーザーは、ねじ込みに関して何らかの抵抗を感じる。この時、保護スリーブの後端エッジ２Ｅは、バレルの環状肩部１Ｅに対して近接している。十分な力でもってねじ込み動作を継続すると、第２ロック部材２３を、保持歯１１を超えて通過させることができる。これにより、保護スリーブの後端エッジ２Ｅを、バレルの環状肩部１Ｅに対して当接させることができる。
【００３９】
図１４に示すように、この時点で、保護スリーブは、退避位置とされる。有利には、第２ロック部材２３は、退避位置の安定性を増強し得るよう、保持歯１１に対して当接したままとされる。この退避位置におけるロックの強度は、筆記先端７に対してユーザーが通常の圧力を印加した程度では、ロック解除されないものとされる。実際、ユーザーが、保護スリーブ２だけを把持することによって筆記用具を使用して筆記した場合には、通常使用を超える圧力が筆記先端に対して印加されるならば、保護スリーブの退避位置は、ロック解除され得る。このロック解除は、相対移動を引き起こし、これにより、筆記先端は、保護スリーブ内に収容される。
【００４０】
図１５に示すように、上述した筆記用具の実施形態においては、筆記先端７は、バレル１に対して固定的に保持されたインクリザーバチューブ３の前端のところに固定的に取り付けられている。特に、リザーバチューブ３は、バレルの前方部分１Ａの円錐形状端部に対して当接して取り付けられている。有利には、後方キャップ５が、バレルの後端のところに設けられており、支持スペーサ４が、後方キャップ５とリザーバチューブ３の後端との間のところにおいてバレル内に設けられており、リザーバチューブを固定的に保持している。リザーバチューブ３と筆記先端７とによって形成されたカートリッジの交換が、後方キャップ５と支持スペーサ４とを取り外すことによって、可能とされている。
【００４１】
図１６〜図１９に示す第２実施形態においては、ロック部材は、保護スリーブ上ではなく、バレル上に形成されている。図１７および図１８に示すように、ロック部材は、保持部材をなす保持歯１１の近傍に配置された突起１２によって形成することができる。この第２実施形態においては、バレル１’は、図３〜図６を参照して上述したバレル１と比較して、突起１２が追加されている点においてのみ、相違している。
【００４２】
有利には、ロック突起１２は、例えば半円筒形状といったように、全体的に丸い形状を有している。ロック突起１２は、周縁方向において保持歯１１の急傾斜面に対向して配置されている。ロック突起１２の高さは、好ましくは、保持歯１１の高さよりも低いものとされている。よって、ロック突起１２は、保護スリーブ２’の回転の双方向において図１６に示す保護スリーブ２’の戻り止め部材２１の上方を通過することができる。しかしながら、保持歯１１は、第１実施形態の場合と同様に、組立後には、戻り止め部材２１を戻り方向に超えて通過することはできない。
【００４３】
ロック突起１２は、戻り止め歯２１に対して係合し、これにより、図１９に示すように、保護位置にロックすることができる。この保護位置においては、戻り止め歯２１は、保持歯１１とロック突起１２との間に配置されており、好ましくは、保持歯１１とロック突起１２との双方に対して当接しており、これにより、保護位置を安定化している。保護位置のロックを解除するためには、ユーザーは、戻り止め歯２１の上方をロック突起１２が通過し得るに十分な力でもって、保護スリーブの回転を開始しなければならない。上記の説明により、ロック突起１２が、第１実施形態における第１ロック突起２２と機能的に同等であることは、理解されるであろう。したがって、ロック突起１２は、保護スリーブの保護位置においては、同じロック機能を満たす。
【００４４】
したがって、第１ロック部材２２は、必ずしも、第２実施形態の保護スリーブ２’においては、有効ではない。図１６に示すように、保護スリーブ２’は、例えば第１実施形態における第２ロック部材２３と同等のものといったような単一のロック突起２３を有している。よって、ロック突起２３は、退避位置において、保護スリーブをロックすることができる。退避位置においては、ロック突起２３が保持歯１１とロック突起１２との間に保持されるように、構成することができる。図示の実施形態においては、保護スリーブ２’は、図７〜図１０を参照して上述した保護スリーブ２と比較して、第１ロック部材２２が省略されている点においてのみ、相違している。
【００４５】
しかしながら、保護スリーブ２’を、先の保護スリーブ２と同一のものとし得ることは、理解されるであろう。このことは、上述した第２実施形態との互換性を損なうことなく、第１ロック部材２２を維持し得ることを意味している。本発明の第２実施形態のこの変形例は、保護位置における保護スリーブのロック機能をさらに増強することが要望された場合に、効果的なものとすることができる。実際、図１９の図示により、図１３に示すようなロック突起２２の追加が、保護スリーブを回転させるのに必要なユーザーの努力を増大させるという効果を有していることは、理解されるであろう。これにより、バレル上に形成されたロック突起１２だけが、保護スリーブ上に形成された戻り止め歯２１の上方を通過するだけではなく、保護スリーブ上に形成されたロック突起２２までもが、バレル上に形成された保持歯１１の上方を通過する。
【００４６】
２つのロック突起１２，２２は、有利には、保護位置と退避位置との間にわたっての保護スリーブの移動時に、互いの接触を回避し得るように、構成することができる。例えば、径方向における各ロック突起１２，２２の高さは、径方向における保持歯１１の高さと比較して、半分あるいはそれ未満とすることができる。よって、１つの突起１２または２２は、保護スリーブの回転時には、他方の突起１２または２２の上方を通過しない、あるいは、他方に対してほとんど接触しない。これにより、突起２２上における突起１２の押圧に対応した追加的な抵抗が、一切生成されない。保護位置において保護スリーブをロックするために保護スリーブを回転駆動するユーザーは、保護スリーブをロックするまでの回転完了までに打ち勝つべき抵抗を、１箇所だけ知覚するだけである。
【００４７】
上述したすべての実施形態に適合しているような、本発明の筆記用具に関する（図示していない）一実施形態においては、固定された筆記先端を、例えば筆記先端に対して印加された圧力の作用によりバレル内へとカートリッジをわずかに移動させ得るものといったようなダンピングデバイスを使用することによって筆記時にバレルの内部に向けてわずかに引っ込め得るようにして、設けることができる。ダンピングデバイスは、例えば、移動可能な支持スペーサ４と後方キャップ５との間に設けられたスプリングとして、具現することができる。
【００４８】
上記においては、歯によって形成されていて、本質的に径方向にフレキシブルではないものとされた、保持部材１１およびロック部材２１について説明した。このことは、それら歯のラッチ作用が、それら歯のところにおける保護スリーブおよび／またはバレルの壁の径方向における局所的な弾性変形によって可能とされていることを、意味している。これに代えてあるいはこれに加えて、それら歯のうちの少なくとも一方を、本質的に径方向に弾性変形可能であるように、構成することができる。これにより、組立時において保護スリーブおよび／またはバレル上における径方向の変形応力を低減させることができる。
【００４９】
例えば、製造時に、歯の急傾斜面の基部のところに配置された周縁方向のノッチという形態でもって、凹所をモールド成型することができる。これにより、歯は、径方向におけるある種の弾性を有したフレキシブルタブを形成することができる。また、例えば、保持歯１１の両サイドにおいて、バレルの前方部分がなす壁に、長手方向スリットを設けることができる。これにより、局所的に壁のフレキシブルさを増大させることができる。
【００５０】
本発明は、さらに、本発明の筆記用具を製造するためのキットであって、バレル（１）と、このバレル上に取り付けられることとなる保護スリーブ（２）と、を具備し、保護スリーブの内壁（２Ｉ）が、第１壁部（８）を備え、この第１壁部（８）には、螺旋カム（２０）の少なくとも一部（２０Ａ）が形成され、第１壁部（８）が、第１直径（Ｄ１）を有し、保護スリーブの内壁（２Ｉ）が、第２壁部（９）を備え、この第２壁部（９）が、第１直径（Ｄ１）よりも大きな第２直径（Ｄ２）を有し、バレルのガイド部材（１０）が、保護スリーブがバレル上に係合していてバレル上の所定位置へのスナップ係合の待ち受け状態とされた取付位置においては、第２壁部（９）に対向して配置されている。
【００５１】
本発明のキットの好ましい実施形態においては、以下の様々な構成部材のうちの１つまたは複数のものが、好ましくは組み合わせることによって、使用される。すなわち、
バレルのガイド部材（１０）であるとともに、螺旋リブによって形成され、保護スリーブの螺旋カム（２０）が、螺旋リブに対して係合するための螺旋グルーブを有し、第１壁部（８）および第２壁部（９）が、互いに連接されており、これにより、少なくとも１つの肩部領域（２０Ｂ）を形成し、この肩部領域（２０Ｂ）が、螺旋カムのうちの、螺旋リブが当接することとなる傾斜部を構成し、これにより、螺旋リブの前端（１０Ｆ）が、保護スリーブの取付位置においては、螺旋グルーブの入口（２０ＡＢ）に対して対向し、したがって、保護スリーブが、所定位置へのスナップ係合前に、バレル上を移動する際の案内を既に受けており、これにより、少なくとも１つのが容易なものとされているような、ガイド部材（１０）と；
保護スリーブの螺旋カム（２０）であるとともに、バレルのガイド部材（１０）に対して係合し得るよう構成され、この係合により、保護スリーブの取付位置と保護位置との間にわたっての、バレルに対しての保護スリーブの螺旋移動が得られるようになっている、螺旋カム（２０）と；
バレルの保持部材（１１）および保護スリーブの戻り止め部材（２１）であるとともに、互いに対して圧力を印加し得るよう構成され、これにより、保護スリーブの取付位置と保護位置との間においては、バレルと保護スリーブとのうちの少なくとも一方を径方向に変形させ得るものとされ、これにより、バレル上へと保護スリーブをスナップ係合させ得るものとされた、バレルの保持部材（１１）および保護スリーブの戻り止め部材（２１）と；
のうちの１つまたは複数のものが、好ましくは組み合わせることによって、使用される。
【符号の説明】
【００５２】
１    バレル
１Ａ  前方部分
２    保護スリーブ
２Ｉ  内壁
７    筆記先端
８    第１壁部
９    第２壁部
１０    ガイド部材
１１    保持部材、保持歯
１１Ａ  第１面
１１Ｂ  第２面
１１Ｃ  頂点
１２    ロック部材
２０    螺旋カム
２０Ａ  螺旋グルーブ
２１    戻り止め部材、戻り止め歯
２１Ａ  第１面
２１Ｂ  第２面
２１Ｃ  頂点
２２    ロック部材
Ａ    長手方向軸線
【図１】
2015514025.tif 000003
【図２】
2015514025.tif 000004
【図３】
2015514025.tif 000005
【図４】
2015514025.tif 000006
【図５】
2015514025.tif 000007
【図６】
2015514025.tif 000008
【図７】
2015514025.tif 000009
【図８】
2015514025.tif 000010
【図９】
2015514025.tif 000011
【図１０】
2015514025.tif 000012
【図１１】
2015514025.tif 000013
【図１２】
2015514025.tif 000014
【図１３】
2015514025.tif 000015
【図１４】
2015514025.tif 000016
【図１５】
2015514025.tif 000017
【図１６】
2015514025.tif 000018
【図１７】
2015514025.tif 000019
【図１８】
2015514025.tif 000020
【図１９】
2015514025.tif 000021
【国際調査報告】
2015514025.tif 000022
2015514025.tif 000023
2015514025.tif 000024
2015514025.tif 000025
2015514025.tif 000026
2015514025.tif 000027